(57)【要約】      （修正有）【課題】種々の共鳴体を配置することができる技術を提供する。【解決手段】筐体１４は、共鳴体２０を配置し、エキサイター１１は、筐体１４に固定される。音響装置は、共鳴体２０を配置するための配置面を有する筐体１４と、筐体１４に固定されるエキサイター１１と、エキサイター１１により振動される振動軸１２とを有する振動発生装置と、配置面に配置される共鳴体２０とを備える。共鳴体２０が筐体１４に配置されているか否かをセンサー１０１を介して共鳴体認識部１０２で判別する。音声コンテンツ選択部１０３は、音声コンテンツ格納部１０４より音声データを選択し、音声信号再生部１０５に入力し、音声信号再生部１０５は、音声コンテンツを再生し、出力する。音声信号増幅部１０６は、その電気信号を増幅してエキサイター１１に入力し、エキサイター１１は、入力された電気信号に基づき振動軸１２を振動させる。【選択図】図１
2015130624.tif 000002
【特許請求の範囲】
【請求項１】
共鳴体を配置するための配置面を有する筐体と、
前記筐体に固定されるエキサイターと、
前記エキサイターにより振動される振動軸と
を備え、
前記配置面の少なくとも一部は平面であり、
前記振動軸の上端は、前記平面において前記配置面に露出している、
ことを特徴とする振動発生装置。
【請求項２】
前記振動軸の上端は、前記平面と同一平面上にあるか、又は、前記平面よりも突出している、
ことを特徴とする請求項１記載の振動発生装置。
【請求項３】
前記共鳴体が前記配置面に配置されているか否かを判定する共鳴体認識部、
を備え、
前記エキサイターは、前記共鳴体認識部によって前記共鳴体が前記配置面に配置されていると判定された場合に、前記振動軸を振動させる、
ことを特徴とする請求項１又は２に記載の振動発生装置。
【請求項４】
請求項１〜３のいずれか１項に記載の振動発生装置と、
前記配置面に配置される共鳴体と
を備えることを特徴とする音響装置。
【請求項５】
複数の共鳴体を備えることを特徴とする請求項４記載の音響装置。
【発明の詳細な説明】
【技術分野】
【０００１】
本発明は、音響装置に用いる振動発生装置に関する。
【背景技術】
【０００２】
近年、エキサイターは、小型化や薄型化が進んでおり、振動板を有するスピーカ装置の内部に実装される形で使用されている。このような音響装置は、エキサイターを組み込んだスピーカとして完結しており、振動板にエキサイターが接触する形態であるため、単体でも発音する構造になっていた。
【先行技術文献】
【特許文献】
【０００３】
【特許文献１】特開平１１−３３１９６６号公報
【発明の概要】
【発明が解決しようとする課題】
【０００４】
特許文献１は、磁気回路とボイスコイルとを含むエキサイターと、このエキサイターに中央部分が結合される平板状の振動板（共鳴体）とを備えるパネル型スピーカであって、上記エキサイターは上記振動板の内部に埋め込まれることにより薄型化と表裏両面の活用化が実現される。しかしながら、上記エキサイターは上記振動板の内部に埋め込まれているため、共鳴体を変更することはできず、音質を変えるにはイコライザ等を用いる必要があった。
【０００５】
そこで、本発明は、種々の共鳴体を配置することができる技術を提供する。
【課題を解決するための手段】
【０００６】
本発明は上述した従来の技術の課題を解決するため、共鳴体を配置するための配置面を有する筐体と、前記筐体に固定されるエキサイターと、前記エキサイターにより振動される振動軸とを備え、前記配置面の少なくとも一部は平面であり、前記振動軸の上端は、前記平面において前記配置面に露出している、ことを特徴とする振動発生装置を提供する。
【発明の効果】
【０００７】
本発明によれば、種々の共鳴体を配置することができる。
【図面の簡単な説明】
【０００８】
【図１】振動発生装置１を音響再生装置に適用した例を示す構成図である。
【図２】振動発生装置１の拡大断面図である。
【図３】振動発生装置１を音響再生装置に適用した別の例を示す構成図である。
【図４】共鳴体２０の一例について説明するための図である。
【図５】共鳴体２０の一例について説明するための図である。
【図６】複数の共鳴体２０の一例について説明するための図である。
【図７】複数の共鳴体２０の一例について説明するための図である。
【図８】振動軸１２にキャップ１５が設置された筐体１４の断面図である。
【発明を実施するための形態】
【０００９】
以下、本発明の振動発生装置１について、図面を参照して説明する。なお、図面中において、同一のものは同じ符号を付す。
【００１０】
図１は、振動発生装置１を音響再生装置に適用した例を示す構成図である。
振動発生装置１は、筐体１４にブラケット１３等を用いて固定されたエキサイター１１と、その音響振動を伝搬させる振動軸１２とを有している。
エキサイター１１は、筐体１４にブラケット１３等を用いて固定されている。
振動軸１２は、筐体１４に対して接触しないように配置される。なお、筐体１４と振動軸１２とを弾性体等の振動を伝えにくい材料（制振部材）を介して接続する構成にしてもよい。
振動軸１２の突出方向を上としたときの筐体の上面は、図４〜６に示すように平面となっている。この平面を配置面と称することとする。振動軸１２の上端はこの配置面に露出している。配置面は少なくとも振動軸が突出している周辺を含む領域において平面であることが好ましい。
振動軸１２の先端は、筐体１４の配置面における、振動軸が突出している周辺の部分から突出していてもよいし、この周辺部分と同一平面上にあってもよい。この配置面は後述する共鳴体２０を配置する役割を果たす。そのため、共鳴体２０が多面体である場合、その少なくとも一面の面積以上の広さの領域において平面であることが好ましい。
音声コンテンツ選択部１０３は、音声コンテンツ格納部１０４より再生対象となる音声コンテンツのデータを選択し、音声信号再生部１０５に入力する。ここで、音声コンテンツ格納部１０４は、例えば、ＨＤＤやフラッシュメモリ、光ディスク等である。音声コンテンツ格納部１０４は、音響再生装置に内蔵されていてもよいし、音響再生装置の外部にあってもよい。音声コンテンツ格納部１０４が音響再生装置の外部にある構成では、音響再生装置がケーブルやネットワークを介して、音声コンテンツ格納部１０４と通信する構成にしてもよい。
音声信号再生部１０５は、音声コンテンツを再生し、音声コンテンツに基づく電気信号（音声信号）を出力する。音声信号増幅部１０６は、その電気信号を増幅してエキサイター１１に入力する。エキサイター１１は、入力された電気信号に基づいて振動軸１２を振動させる。
【００１１】
ここで、本実施形態における振動素子として採用されるエキサイター１１について、図２を参照して説明する。図２は超磁歪素子を用いた例である。図２に示すように、エキサイター１１は、例えば超磁歪素子に電気コイル（不図示）を巻いて構成されており、電気コイルに電気信号が流れると、超磁歪素子が伸縮する。超磁歪素子を用いた場合、超磁歪素子が振動軸１２となる。この振動軸１２は、配置面から突出していてもよいし、配置面と同一平面上にあってもよい。また、電気コイルによって一次的に（最初に）振動されるものが振動軸１２となるとも言える。
【００１２】
この状態において、筐体１４上に何も置いていないときは振動軸１２によって共鳴振動される物体が無いため振動軸１２が振動していても基本的に発音されない。なお、後述する共鳴体を配置した際に、音の変化がわかる程度であれば、筐体１４と振動軸１２とがある程度接触していてもよい。その場合は、筐体１４が振動されるため音が発せられることになるが、共鳴体を配置すれば音が大きくなる。また、共鳴体を配置すれば音質を変化させることができる。ただし、筐体１４と振動軸１２とを接触しないようにしたり、制振部材を介して接続したりするようにすれば、共鳴体を配置したときの音量の変化が大きくなり、より好ましい。
一方、振動軸１２が振動している状態において共鳴体２０を振動軸１２に接触するように配置面に置くと、振動軸１２の振動が共鳴体２０に伝搬し、音声信号再生部１０５を通じて再生された音声コンテンツに基づく音声が共鳴体２０を通じて可聴音として発音される。ここにおいて、共鳴体２０は、木製の積木や木・金属・プラスチック等、比較的弾性率の大きな材質で作られた物体であることが好ましい。
【００１３】
このように、音声コンテンツが常時再生され振動軸１２が振動していている場合であっても、共鳴体２０を振動軸１２の上に置くと音が聴こえ、共鳴体２０を振動軸１２の上から取り除けば音が聴こえなくなったり、小さくなったりする。
【００１４】
また、図１は、上記に加えて、共鳴体２０が筐体上に配置されているか否かをセンサー１０１を介して共鳴体認識部１０２で判別し、共鳴体２０が配置された場合に、エキサイター１１が振動軸１２を振動させる構成にしている。そして、共鳴体２０が筐体上に配置されていないときは、エキサイター１１による振動軸１２の振動を停止する。これらの制御は図示しない振動制御部によって行われる。振動軸１２の振動を停止する場合、例えば、音声信号増幅部１０６から電気信号を出力しないようにすればよい。
【００１５】
図１の構成を用いると、エネルギーを省力化することが可能となる。筐体１４に実装するエキサイター１１の数を増やした場合等に特に有効である。ここでのセンサー１０１は、物体の存在を非接触で検出する赤外線センサーや、共鳴体が筐体上に乗ったときの重量変化を検知する加速度センサー、単純な凸型スイッチ等を用いることができる。
【００１６】
図３は、筐体１４に乗せられた共鳴体２０について任意に定義した属性をセンサー１０１を介して共鳴体識別部１０７で判別し、得られた属性情報をもとに、音声コンテンツ選択部１０３が共鳴体２０の属性に対応した音声コンテンツを音声コンテンツ格納部１０４の中から選択して、音声信号再生部１０５、音声信号増幅部１０６、エキサイター１１および振動軸１２を介して共鳴体２０にて音響再生する構成図である。共鳴体の属性としては、共鳴体の形状、材質、重さなど種々のパラメータを単独あるいは複合的に定義することができる。例えば、共鳴体の形状、色、材質、重さ等が変化すると、音声コンテンツ選択部１０３は、音声コンテンツを変更する。共鳴体の形状、色、材質、重さ等の変化を検出するため、ここでのセンサー１０１は、撮像装置を用いてもよい。
【００１７】
図４は、共鳴体２０の一例を示すものである。図４に示すように、共鳴体２０Ａは動物の形をして内部が空洞になっている置物であり、撮像装置等のイメージセンサー１０１Ａを介して画像認識処理を行い、対象とする動物の鳴き声や、その動物に因んだ音声コンテンツを選択して再生するようなアプリケーションである。
【００１８】
また、図５は別の共鳴体２０の一例を示すものである。図５に示すように、木製の積木である共鳴体２０Ｂに複合的な情報をエンコードしたＱＲコードを貼付し、この情報をＱＲコードセンサー１０１Ｂで読み取ったうえで、その情報に基づいた音声コンテンツの選択や再生等の細かい制御を行うことが可能となる。
【００１９】
例えば、ＱＲコードにインターネット上サーバーのＵＲＬ情報をエンコードしておき、インターネットサーバー側でその時の文脈に合わせて音声コンテンツを選定して、図３の構成を用いて共鳴体２０Ｂを発生させる等、きめの細かいサービスを実現させることができる。本実施例においてはＱＲコードを使っているが、共鳴体にＩＣタグを装着する等他の手段を用いても同様の効果を得ることが可能である。
【００２０】
次に、共鳴体が複数存在する実施形態について図６を参照して説明する。
図６に示すように、振動軸１２が振動している状態において、振動軸１２上に共鳴体２０Ｃ、２０Ｇを接触するように置き、さらに、共鳴体２０Ｃの上に共鳴体２０Ｄ、２０Ｅ、２０Ｆを積み重ね、共鳴体２０Ｇの上に、共鳴体２０Ｈ、２０Ｉを積み重ねている。そうすることで、共鳴体２０Ｃ、２０Ｄ、２０Ｅ、２０Ｆ夫々から音が出力される。そのため、音量及び音質により多様な変化が出て、音像の広がりを得ることができる。また、形状の異なる複数の共鳴体を用いることで様々な音質変化を得ることができる。
【００２１】
また、例えば、図３に係る説明で上述したように、柔らかい材質の共鳴体２０が接触した場合は、音声コンテンツ格納部１０４から音声コンテンツ選択部１０３によりイージーリスニングなどのジャンルの音声コンテンツを選択したり、硬い材質の共鳴体２０が接触した場合は、音声コンテンツ格納部１０４から音声コンテンツ選択部１０３によりビートが激しい音声コンテンツを選択したりすることができる。
【００２２】
共鳴体の別の例として図７を参照して説明する。
図７に示すように、振動軸１２が振動している状態において、振動軸１２夫々の上に共鳴体２０Ｊ、２０Ｋ、２０Ｌを接触するように置くことで、共鳴体２０Ｊ、２０Ｋ、２０Ｌ夫々から音が出力される。図１で上述したように、共鳴体２０Ｊ、２０Ｋ、２０Ｌが筐体上に乗っているか否かをセンサー１０１を介して共鳴体認識部１０２で判別したりして、共鳴体２０Ｊ、２０Ｋ、２０Ｌの存在を確認して、共鳴体２０Ｊ、２０Ｋ、２０Ｌのいずれかが置かれた場合に音を出力することができる。また、図７に示す共鳴体２０Ｊ、２０Ｋ、２０Ｌは、ワイングラスを一例としているため、ワイングラス内の液体量によって音量や音質を変えることも可能になる。
【００２３】
次に、他の実施形態として、振動軸１２にキャップ１５が設置された実施形態を、図８を参照して説明する。なお、図８におけるキャップ１５以外は上述した発明と基本的に同様な構成である。よって、同様な構成については説明を省略する。
【００２４】
音声信号増幅部１０６は、電気信号を増幅しエキサイター１１に入力する。キャップ１５は、エキサイター１１に入力された電気信号に基づいて振動する振動軸１２を覆うように装着されるものである。
【００２５】
振動軸１２によって共鳴振動される物体が無い状態では振動軸１２が振動していても発音されないが、振動軸１２が振動している状態においてキャップ１５を装着することで、振動軸１２の振動がキャップ１５に伝搬し、音声信号再生部１０５を通じて再生された音声コンテンツに基づく音声がキャップ１５を通じて出力される。
【００２６】
共鳴体２０Ｍをキャップ１５に接触するように配置面に置くことで、共鳴体２０Ｍから音が出力され、音量や音質を変化させることができる。
キャップ１５の上面は、共鳴体２０Ｍとの接触面積がある程度あるため、安定して共鳴体２０Ｍを置くことが出来る。図８に示すように、キャップ１５の上面は筐体１４の配置と同一平面上であるが、これに限定されるものではない。キャップ１５の上面は筐体１４の配置面より突出していてもよい。
また、キャップ１５を共鳴体Ｍよりも大きくすれば、キャップ１５の上面の位置は、筐体１４の配置面より凹んでいてもよい。
また、共鳴体２０Ｍの一部を突出させるようにした場合も、キャップ１５の上面の位置は、筐体１４の配置面より凹んでいてもよい。
【００２７】
また、振動軸の配置面上に露出している上面を、図８におけるキャップ１５のような大きさにしてもよい。そのようにすれば、キャップ１５がなく振動軸１２のみに共鳴体２０が安定して接触させることができる。
また、振動軸の上面を共鳴体Ｍよりも大きくすれば、キャップ１５の上面の位置は、筐体１４の配置面より凹んでいてもよい。
また、共鳴体２０Ｍの一部を突出させるようにした場合も、振動軸の上面の位置は、筐体１４の配置面より凹んでいてもよい。
【００２８】
以上のように、本実施形態の振動発生装置１は種々の共鳴体を配置することができる。
【００２９】
上述した本実施形態は、説明のための例示であり、上記実施形態に限定されるものではない。本発明は、棚やテーブル等を配置面とするような構成にしてもよい。また、壁や床に対しても適用可能である。
【００３０】
また、本発明は以上説明した実施形態に限定されることはなく、本発明の要旨を逸脱しない範囲において種々変更が可能である。例えば、各実施形態や変形例等を組み合わせてもよい。
【符号の説明】
【００３１】
１１  エキサイター
１２  振動軸
１３  ブラケット
１４  筐体
１５  キャップ
２０  共鳴体
１０１  センサー
１０１Ａ  イメージセンサー
１０１Ｂ  ＱＲコードセンサー
１０２  共鳴体認識部
１０３  音声コンテンツ選択部
１０４  音声コンテンツ格納部
１０５  音声信号再生部
１０６  音声信号増幅部
１０７  共鳴体識別部
【図１】
2015130624.tif 000003
【図２】
2015130624.tif 000004
【図３】
2015130624.tif 000005
【図４】
2015130624.tif 000006
【図５】
2015130624.tif 000007
【図６】
2015130624.tif 000008
【図７】
2015130624.tif 000009
【図８】
2015130624.tif 000010